【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
可変表示を行って識別情報の表示結果を導出表示する可変表示手段に、予め定められた特定表示結果が導出表示されたときに遊技者にとって有利な特定遊技状態に制御する遊技機であって、
前記可変表示手段における表示結果を前記特定表示結果とするか否かを、表示結果が導出される前に決定する事前決定手段と、
前記特定表示結果とすることを前記事前決定手段により決定したときに制御する前記特定遊技状態の種別を、第１特定遊技状態、第２特定遊技状態、第３特定遊技状態のそれぞれに割り当てられた判定値に基づいて決定する特定遊技状態種別決定手段と、
前記特定遊技状態種別決定手段により前記第１特定遊技状態が決定された場合には、前記第１特定遊技状態に制御した後に前記可変表示手段の表示結果が前記特定表示結果になる確率が向上する高確率状態に制御し、前記特定遊技状態種別決定手段により前記第２特定遊技状態が決定された場合には、前記特定遊技状態において遊技者が獲得可能な遊技価値の大きさが前記第１特定遊技状態とは異なる前記第２特定遊技状態に制御した後に前記高確率状態に制御し、前記特定遊技状態種別決定手段により前記第３特定遊技状態が決定された場合には、前記特定遊技状態において遊技者が獲得可能な遊技価値の大きさが前記第２特定遊技状態と同じである前記第３特定遊技状態に制御した後に前記可変表示手段の表示結果が前記特定表示結果になる確率が向上しない低確率状態に制御する遊技状態制御手段と、
前記特定遊技状態種別決定手段により前記第１特定遊技状態が決定された場合に特定演出を実行するとともに、前記特定遊技状態種別決定手段により前記第２特定遊技状態が決定された場合と前記第３特定遊技状態が決定された場合とにおいて共通の演出を実行する演出実行手段と、
を備え、
前記特定遊技状態の種別に応じて、前記特定表示結果が複数あり、
前記第１特定遊技状態に対応する前記特定表示結果の数は、前記第２特定遊技状態に対応する前記特定表示結果の数、および前記第３特定遊技状態に対応する前記特定表示結果の数よりも少ない
ことを特徴とする遊技機。
【請求項２】
遊技の進行を制御するとともに、演出の実行態様を指示する演出制御コマンドを送信する遊技制御手段と、
前記遊技制御手段から送信される演出制御コマンドに基づいて演出を制御する演出制御手段と、
を備え、
前記可変表示手段は、第１識別情報の表示結果を導出表示する第１可変表示手段と、第２識別情報の表示結果を導出表示する第２可変表示手段とを含む、
ことを特徴とする請求項１に記載の遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
可変表示を行って識別情報（例えば、特別図柄）の表示結果を導出表示する可変表示手段（例えば、第１特別図柄表示装置４Ａ、第２特別図柄表示装置４Ｂ）に、予め定められた特定表示結果（例えば、大当り図柄）が導出表示されたときに遊技者にとって有利な特定遊技状態（例えば、大当り遊技状態）に制御する遊技機（例えば、パチンコ遊技機１）であって、
前記可変表示手段における表示結果を前記特定表示結果とするか否かを、表示結果が導出される前に決定する事前決定手段（例えば、ＣＰＵ１０３が特別図柄通常処理を実行する部分）と、
前記特定表示結果とすることを前記事前決定手段により決定したときに制御する前記特定遊技状態の種別を、第１特定遊技状態（例えば、確変大当りＡ）、第２特定遊技状態（例えば、確変大当りＢ）、第３特定遊技状態（例えば、非確変大当りＣ）のそれぞれに割り当てられた判定値に基づいて決定する特定遊技状態種別決定手段（例えば、ＣＰＵ１０３が特別図柄通常処理におけるＳ１５３、Ｓ１５４を実行する部分）と、
前記特定遊技状態種別決定手段により前記第１特定遊技状態が決定された場合には、前記第１特定遊技状態に制御した後に前記可変表示手段の表示結果が前記特定表示結果になる確率が向上する高確率状態に制御し（例えば、ＣＰＵ１０３が大当り終了処理のＳ２０８を実行する部分）、前記特定遊技状態種別決定手段により前記第２特定遊技状態が決定された場合には、前記特定遊技状態において遊技者が獲得可能な遊技価値の大きさが前記第１特定遊技状態（例えば、ラウンド遊技が１５回実行される大当り遊技状態）とは異なる前記第２特定遊技状態（例えば、ラウンド遊技が１０回実行される大当り遊技状態）に制御した後に前記高確率状態に制御し、前記特定遊技状態種別決定手段により前記第３特定遊技状態が決定された場合には、前記特定遊技状態において遊技者が獲得可能な遊技価値の大きさが前記第２特定遊技状態と同じである前記第３特定遊技状態（例えば、ラウンド遊技が１０回実行される大当り遊技状態）に制御した後に前記可変表示手段の表示結果が前記特定表示結果になる確率が向上しない低確率状態に制御する（例えば、ＣＰＵ１０３が大当り終了処理のＳ２０８を実行せずにＳ２１１を実行する部分）遊技状態制御手段（例えば、ＣＰＵ１０３が大当り終了処理のＳ２０８とＳ２１１の少なくとも一方を実行する部分）と、
前記特定遊技状態種別決定手段により前記第１特定遊技状態が決定された場合に特定演出（例えば、演出図柄の「３」または「７」揃いでの導出表示）を実行するとともに、前記特定遊技状態種別決定手段により前記第２特定遊技状態が決定された場合と前記第３特定遊技状態が決定された場合とにおいて共通の演出（例えば、演出図柄の「２」または「４」揃いでの導出表示）を実行する演出実行手段（例えば、演出制御用ＣＰＵ１２０が演出図柄変動停止処理のＳ８５３を実行する部分）と、
を備え、
前記特定遊技状態の種別に応じて、前記特定表示結果が複数あり（例えば、大当り種別が確変大当りＡであればパターン０の表示図柄が導出表示され、大当り種別が確変大当りＢであればパターン１〜パターン３またはパターン１６のいずれかの表示図柄が導出表示され、大当り種別が非確変大当りＣであればパターン１３〜パターン１５またはパターン２０のいずれかの表示図柄が導出表示される）、
前記第１特定遊技状態に対応する前記特定表示結果の数は、前記第２特定遊技状態に対応する前記特定表示結果の数、および前記第３特定遊技状態に対応する前記特定表示結果の数よりも少ない（例えば、大当り種別が確変大当りＡである場合に対応する表示図柄のパターンの数は１つであり、大当り種別が確変大当りＢや非確変大当りＣである場合に対応する表示図柄のパターンの数は３つである）
ことを特徴としている。
また、本発明の請求項２の遊技機は、請求項１に記載の遊技機であって、
遊技の進行を制御するとともに、演出の実行態様を指示する演出制御コマンドを送信する遊技制御手段と、
前記遊技制御手段から送信される演出制御コマンドに基づいて演出を制御する演出制御手段と、
を備え、
前記可変表示手段は、第１識別情報の表示結果を導出表示する第１可変表示手段と、第２識別情報の表示結果を導出表示する第２可変表示手段とを含む、
ことを特徴としている。
これらの特徴によれば、第１特定遊技状態に対応する特定表示結果の数が、第２特定遊技状態や第３特定遊技状態に対応する特定表示結果の数よりも少ないため、特定演出によって第１特定遊技状態となることが特定できるにもかかわらず、可変表示手段に導出表示される特定表示結果によって第１特定遊技状態となることが分かり難くなってしまうことを防ぐことができるので、遊技の興趣を向上することができる。
【手続補正３】
【補正対象書類名】明細書
【補正対象項目名】０００７
【補正方法】変更
【補正の内容】
【０００７】
本発明の手段１の遊技機は、請求項１または２に記載の遊技機であって、
前記可変表示手段には、前記第１特定遊技状態に対応する前記特定表示結果として１の前記特定表示結果のみが導出表示される（例えば、大当り種別が確変大当りＡである場合、ＣＰＵ１０３が特別図柄通常処理のＳ１５６ｄまたはＳ１５６ｅにおいて確変大当りＡ用表示図柄決定テーブル（第１特図用）または確変大当りＡ用表示図柄決定テーブル（第２特図用）を選択し、Ｓ１５６ｆにおいて停止図柄をパターン０の表示図柄に一義的に決定することで、演出図柄変動停止処理のＳ８５３においてパターン０の表示図柄を導出表示する）
ことを特徴としている。
この特徴によれば、第１特定遊技状態となることをわかり易くすることができる。
【手続補正４】
【補正対象書類名】明細書
【補正対象項目名】０００８
【補正方法】変更
【補正の内容】
【０００８】
本発明の手段２の遊技機は、請求項１、請求項２、手段１のいずれかに記載の遊技機であって、
前記第２特定遊技状態と前記第３特定遊技状態には、異なる数の判定値が割り当てられており（例えば、変動特図が第１特図である場合は、確変大当りＢに４１〜５５までの１５個の判定値が割り当てられており、非確変大当りＣには９６〜１００までの５個の判定値が割り当てられている）、
前記第２特定遊技状態に対応する前記特定表示結果の数を前記第３特定遊技状態に対応する前記特定表示結果の数で除した値は、前記第２特定遊技状態に割り当てられている判定値の数を前記第３特定遊技状態に割り当てられている判定値の数で除した値よりも小さい（例えば、変動特図が第１特図である場合は、確変大当りＢに対応する表示図柄のパターン数を非確変大当りＣに対応する表示図柄のパターン数で除した値である「１」は、確変大当りＢに割り当てられている判定値数を非確変大当りＣに割り当てられている判定値の数で除した値「３」よりも小さい）
ことを特徴としている。
この特徴によれば、第２特定遊技状態と第３特定遊技状態が決定される決定割合が変化しても、これら第２特定遊技状態と第３特定遊技状態の決定割合の変化に連動して、特定表示結果が変化してしまう度合いを小さくできるので、第２特定遊技状態と第３特定遊技状態の決定割合が変化することにより、導出表示される特定表示結果から第２特定遊技状態と第３特定遊技状態のいずれであるのかが判別されやすくなってしまうことを防ぐことができ、遊技の興趣を向上させることができる。
【手続補正５】
【補正対象書類名】明細書
【補正対象項目名】０００９
【補正方法】変更
【補正の内容】
【０００９】
本発明の手段３の遊技機は、請求項１、請求項２、手段１、手段２のいずれかに記載の遊技機であって、
前記可変表示手段は、第１可変表示手段（例えば、第１特別図柄表示装置４Ａ）と、該第１可変表示手段とは異なる第２可変表示手段（例えば、第２特別図柄表示装置４Ｂ）と、を含み、
前記第２可変表示手段において表示結果として導出表示される前記第２特定遊技状態または前記第３特定遊技状態に対応する前記特定表示結果は、前記第１可変表示手段において表示結果として導出表示される前記第２特定遊技状態または前記第３特定遊技状態に対応する前記特定表示結果とは異なる（例えば、大当り種別が確変大当りＢである場合、第１特別図柄表示装置４Ａにおいて導出表示される表示図柄はパターン１〜パターン３のいずれかであり、第２特別図柄表示装置４Ｂにおいて導出表示される表示図柄はパターン１、パターン２、パターン１６のいずれかである）
ことを特徴としている。
この特徴によれば、第１可変表示手段と第２可変表示手段とで異なる特定表示結果が導出表示されるようになるため、遊技の興趣を向上させることができる。